(57)【要約】  熱交換換気装置は、室内の空気を室外に排気する排気通路と室外の空気を室内に給気する給気通路とが内部に形成された箱体形状の本体ケーシングと、排気通路と給気通路とが交差する交差部に配置され、排気通路を流れる排気流と給気通路を流れる給気流との間で熱交換させる熱交換器と、熱交換器の給気流の流入側にフィルターを保持させる保持枠と、フィルターからの落下物を受ける受け皿とが一体化され、フィルターとともに本体ケーシングに着脱可能とされたフィルター保持ユニットと、を備えてメンテナンス性やサービス性の向上を図る。
2010095237.tif 000002
【特許請求の範囲】
【請求項１】
室内の空気を室外に排気する排気通路と室外の空気を室内に給気する給気通路とが内部に形成された箱体形状の本体ケーシングと、
前記排気通路と前記給気通路とが交差する交差部に配置され、前記排気通路を流れる排気流と前記給気通路を流れる給気流との間で熱交換させる熱交換器と、
前記熱交換器の前記給気流の流入側にフィルターを保持させる保持枠と、前記フィルターからの落下物を受ける受け皿とが一体化され、前記フィルターとともに前記本体ケーシングに着脱可能とされたフィルター保持ユニットと、を備えることを特徴とする熱交換換気装置。
【請求項２】
前記フィルター保持ユニットは、前記給気通路と前記排気通路とを隔絶する隔絶部を有することを特徴とする請求項１に記載の熱交換換気装置。
【請求項３】
前記フィルター保持ユニットの装着状態において、前記フィルターは、給気流の流入側が下側を向けて保持され、
前記受け皿は、前記フィルターにおける給気流の流入側からの落下物を受ける位置に配置されていることを特徴とする請求項１または２に記載の熱交換換気装置。
【請求項４】
前記保持枠は、複数の前記フィルターを重ねて保持できることを特徴とする請求項１〜３のいずれか１つに記載の熱交換換気装置。
【発明の詳細な説明】
【技術分野】
【０００１】
本発明は、熱交換器により室外の空気と室内の空気との間で熱交換を行いながら換気する熱交換換気装置に関するものである。
【背景技術】
【０００２】
従来、室内の空気を室外に排気するための排気通路と、室外の空気を室内に給気するための給気通路とを備え、排気通路を流れる排気流と給気通路を流れる給気流との間で熱交換を行いながら換気を行う熱交換換気装置がある。このような熱交換装置において、給気流に含まれる埃や虫を除去するためのフィルターと、フィルターから落下する埃や虫を受ける受け皿とを設けたものが、例えば、特許文献１に提案されている。【０００３】
【特許文献１】特開２００３−７４９３６号公報
【発明の開示】
【発明が解決しようとする課題】
【０００４】
しかしながら、上記従来の熱交換換気装置では、フィルターの交換等のメンテナンスを行う際に、まず、受け皿を取り外す必要がある。取り外した受け皿を持ったままでは、作業性が悪くなるので、受け皿を別の場所に置いたりしなければならず、メンテナンス作業が面倒であるという問題があった。また、受け皿を取り外してからフィルターを取り外すため、フィルターから落下する埃や虫がそのまま落下してしまい、周辺にある床や机を汚してしまうという問題があった。また、フィルターから落下する埃や虫がそのまま落下してしまい、作業者の衣服を汚してしまうという問題もあった。【０００５】
本発明は、上記に鑑みてなされたものであって、フィルター交換等のメンテナンス性やサービス性の向上を図ることのできる熱交換換気装置を得ることを目的とする。
【課題を解決するための手段】
【０００６】
上述した課題を解決し、目的を達成するために、本発明は、室内の空気を室外に排気する排気通路と室外の空気を室内に給気する給気通路とが内部に形成された箱体形状の本体ケーシングと、排気通路と給気通路とが交差する交差部に配置され、排気通路を流れる排気流と給気通路を流れる給気流との間で熱交換させる熱交換器と、熱交換器の給気流の流入側にフィルターを保持させる保持枠と、フィルターからの落下物を受ける受け皿とが一体化され、フィルターとともに本体ケーシングに着脱可能とされたフィルター保持ユニットと、を備えることを特徴とする。
【発明の効果】
【０００７】
本発明によれば、フィルターを着脱する際に、受け皿を備えるフィルター保持ユニットも着脱されるので、メンテナンス時にフィルターから落下する埃や虫等の落下物が受け皿上に落下する。したがって、周辺の床や作業者の衣服を汚したりせずに、安全かつ清潔にメンテナンスができるという効果を奏する。
【図面の簡単な説明】
【０００８】
【図１】図１は、本発明の実施の形態１に係る熱交換換気装置を下方から見た部分分解斜視図である。
【図２】図２は、熱交換換気装置の分解斜視図である。
【図３−１】図３−１は、熱交換換気装置の側面断面であって、フィルター保持ユニットの装着状態を示す図である。
【図３−２】図３−２は、熱交換換気装置の側面断面であって、フィルター保持ユニットを取り外した状態を示す図である。
【図４】図４は、熱交換換気装置を上方から見た平面断面図である。
【図５】図５は、熱交換換気装置を上方から見た部分分解斜視図である。
【図６−１】図６−１は、本体ケーシングの内部のうち熱交換器が収容された部分における給気通路を説明するための横断面図である。
【図６−２】図６−２は、本体ケーシングの内部のうち熱交換器が収容された部分における排気通路を説明するための図である。
【図７】図７は、フィルターとフィルター保持ユニットの分解斜視図である。
【図８】図８は、フィルター保持ユニットの側面部分断面図である。
【符号の説明】
【０００９】
１  本体ケーシング
２  熱交換器
２ａ  給気流入面
２ｂ  排気流入面
２ｃ  排気流出面
２ｄ  給気流出面
２ｒ，２ｓ，２ｕ，２ｖ  稜角部
３  給気用送風機
４  排気用送風機
５  箱体
５ａ  送風機室
６  フィルター保持ユニット
６ａ  第１フィルター枠（保持枠）
６ｂ  第２フィルター枠（保持枠）
６ｃ，６ｄ，６ｆ，６ｈ  開口
６ｅ，６ｇ  爪
６ｉ  溝
６ｊ，６ｍ  リブ
６ｎ  端部
６ｌ  凹凸部
６ｐ  梁
６ｑ  凹部
６ｒ  リブ
６ｔ  筒状部
６ｓ  梁
６ｕ  受け皿
６ｖ  フランジ
６ｗ  フィルター保持枠（保持枠）
６ｙ  隔絶部
７，９  フィルター
８  ドレンパン
８ａ  保持部
１０  つまみ
１１  取手
１２ａ，１２ｂ  ドレン口
１３  小口
１４ａ，１４ｂ  側板
２１  給気吸入口
２２  給気吐出口
２３  排気吸入口
２４  排気吐出口
３１  板金成形体
３１ａ  天板
３１ｂ，３１ｃ  側板
３２  底板
５０  熱交換換気装置
【発明を実施するための最良の形態】
【００１０】
以下に、本発明にかかる熱交換換気装置の実施の形態を図面に基づいて詳細に説明する。なお、この実施の形態によりこの発明が限定されるものではない。【００１１】
実施の形態１．
図１は、本発明の実施の形態１に係る熱交換換気装置を下方から見た部分分解斜視図である。図２は、図１に示す熱交換換気装置の分解斜視図である。図３−１は、図１に示す熱交換換気装置の側面断面であって、フィルター保持ユニットの装着状態を示す図である。図３−２は、図１に示す熱交換換気装置の側面断面であって、フィルター保持ユニットを取り外した状態を示す図である。図４は、図１に示す熱交換換気装置を上方から見た平面断面図である。図５は、熱交換換気装置を上方から見た部分分解斜視図である。【００１２】
熱交換換気装置５０は、本体ケーシング１、箱体５、フィルター保持ユニット６を備えて大略構成されている。本体ケーシング１は、六面体の箱型に構成されている。本体ケーシング１は、板金成形体３１、底板３２、側板１４ａ，１４ｂを有して構成される。板金成形体３１は、天板３１ａと、この天板３１ａの一対の対辺が折り曲げられた一対の側板３１ｂ、３１ｃとの三面からなり、断面コの字形状を呈する。底板３２は、天板３１ａに対向して設けられる。側板１４ａ，１４ｂは、板金成形体３１と底板３２からなる筒状体の両開口を覆う。このように、本体ケーシング１は、天板３１ａ、底板３２、側板３１ｂ，３１ｃ，１４ａ，１４ｂの六面から構成される。底板３２は、ドレンパン８がはめ込まれる。底板３２には、例えば、樹脂成形品が用いられる。【００１３】
側板１４ａ，１４ｂには、本体ケーシング１内に空気を吸入・吐出するための開口が形成されている。側板１４ａに形成された開口には、樹脂成形された給気吐出口２２と、樹脂成形された排気吸入口２３が取り付けられる。側板１４ｂに形成された開口には、樹脂成形された給気吸入口２１と、樹脂成形された排気吐出口２４が取り付けられる。これら給気吐出口２２等は、ダクトを接続する接続口として機能する。【００１４】
箱体５は、積層型の熱交換器２、給気用送風機３、排気用送風機４を収納して本体ケーシング１内に取り付けられる。例えば、箱体５には、スチロール成形品が用いられる。箱体５には、熱交換器２が着脱可能に組込まれている。図３−１に示すように、熱交換器２は、その両小口１３を横にし、排気流の流入側の面である排気流入面２ｂが本体ケーシング１の上の面方向、給気流の流入側の面である給気流入面２ａが本体ケーシング１の下の面方向を向くように箱体５に組み込まれる。【００１５】
なお、熱交換器２のうち、排気流の流出側の面である排気流出面２ｃは、本体ケーシング１の下の面方向を向く。また、熱交換器２のうち、給気流の流出面である給気流出面２ｄは、本体ケーシング１の上の面方向を向く。給気流入面２ａには、給気流に含まれる塵埃などを除去するためのフィルター７が設けられる。なお、フィルター７は、後述するフィルター保持枠（保持枠）６ｗによって、給気流入面２ａ側に保持される。【００１６】
熱交換器２の構成等についての詳細な説明は省略するが、熱交換器２には、給気流入面２ａと給気流出面２ｄとを連通する第１通路（図示せず）が形成され、排気流入面２ｂと排気流出面２ｃとを連通する第２通路（図示せず）が形成されている。第１通路と第２通路とは互いに独立しており、第１通路を通過する空気と第２通路とを通過する空気との間で熱交換が行われる。【００１７】
図３−１に示すように、熱交換器２は、給気用送風機３、排気用送風機４側の稜角部２ｒが各送風機３，４に接して気密状態で取付けられている。稜角部２ｒの対角である稜角部２ｓは、フィルター保持ユニット６に接して気密状態で取付けられている。下部の稜角部２ｕはドレンパン８のＶ字形の保持部８ａに支持されながら気密状態で取付けられている。稜角部２ｕの対角である上部の稜角部２ｖは本体ケーシング１の天面に気密状態で取付けられている。【００１８】
図４に示すように、箱体５内には、中心線４０ａを挟んだ一方側に熱交換器２が配置される。また、中心線４０ａを挟んだ他方側には、各送風機３，４が組み込まれる送風機室５ａが構成される。送風機室５ａは、中心線４０ｂを挟んだ一方側に排気用送風機４が組み込まれ、他方側に給気用送風機３が組み込まれている。給気用送風機３は、排気用送風機４と同一形状の送風機が反転して組込まれたものである。【００１９】
ドレンパン８は、本体ケーシング１の下部に設けられ、熱交換器２から生じたドレンを回収する。ドレンパン８は、排気用送風機４及び給気用送風機３の下側部分から熱交換器２の下部の稜角部２ｕまで覆っている。ドレン口１２ａ，１２ｂはドレンパン８からドレンを外部へ排出する。ドレンパン８には、例えば、スチロール成形品が用いられる。フィルター保持ユニット６は、ドレンパン８と底板３２に設けられた開口３２ａから本体ケーシング１へ差し込まれる。【００２０】
図７は、フィルター７とフィルター保持ユニット６の分解斜視図である。図８は、フィルター保持ユニット６の側面部分断面図である。フィルター保持ユニット６は、受け皿６ｕ、フィルター保持枠６ｗ、第１フィルター枠（保持枠）６ａ、第２フィルター枠（保持枠）６ｂを有して構成されている。【００２１】
受け皿６ｕは、熱交換換気装置５０本体の外殻の一部を構成し、フィルター７に付着した塵埃、虫、結露水などを受ける。フィルター保持枠６ｗは、受け皿６ｕに形成されており、第１フィルター枠６ａを支持する。フィルター７を保持する機能を備える。第１フィルター枠６ａは、フィルター７を収納した状態でフィルター保持枠６ｗに支持される。第１フィルター枠６ａがフィルター保持枠６ｗに支持された状態で、フィルター７は給気流の流入する面が下側を向く。第２フィルター枠６ｂは、第１フィルター枠６ａに収納された状態のフィルター７を抑えて固定する。図８に示すように、フィルター７、第１フィルター枠６ａ、フィルター保持枠６ｗが組合された状態で、受け皿６ｕはフィルター７からの落下物を受ける位置に配置される。【００２２】
受け皿６ｕは、底板３２の開口３２ａを塞ぐ。受け皿６ｕは、開口３２ａを密閉して固定する為のフランジ６ｖと、フランジ６ｖの内側に形成されたリブ６ｒと、リブ６ｒの内側に形成された凹部６ｑとを有している。受け皿６ｕは、フィルター７からの落下物（塵埃や虫）を受けるとともに水などの洩れを防ぐ。【００２３】
また、リブ６ｒで囲まれる内側の平面績はフィルター保持枠６ｗの開口６ｄの水平投影面積より大きく、フィルター７からの落下物がリブ６ｒの外に落ちないようになっている。また、フィルター保持枠６ｗは、受け皿６ｕの凹部６ｑ底面に対して略４５°の角度となるように、フランジ６ｖに対して一体に成型されている。受け皿６ｕとフィルター保持枠６ｗとで構成される空間は給気通路の一部を構成する。なお、フィルター保持枠６ｗは、受け皿６ｕと別体で構成されたものを、フランジ６ｖにねじ等で締め付け固定しても良い。【００２４】
受け皿６ｕのフランジ６ｖには給気通路からの空気洩れを防ぐ為のリブ６ｍが全周に渡って設けられている。また、底板３２には、受け皿６ｕを開口３２ａに固定する為のつまみ１０が設けられている。また、メンテナンス時におけるフィルター保持ユニット６の取り扱いを容易にするために、取手１１が受皿６ｕに設けられている。【００２５】
フィルター保持枠６ｗは、第１フィルター枠６ａを取り付けるための開口６ｄを有し、開口６ｄの周囲には第１フィルター枠６ａのリブ６ｊがはまり込む溝６ｉが構成されている。また、フィルター保持枠６ｗには、排気通路と給気通路を隔絶する隔絶部６ｙが形成されている。隔絶部６ｙは、フィルター保持枠６ｗに対してフランジ６ｖとの連結側の反対側に、フランジ６ｖと略平行になるように設けられている。また、フィルター保持枠６ｗの隔絶部６ｙ側には、第１フィルター枠６ａの爪６ｅが係止される開口６ｆが２箇所設けられている。フィルター保持枠６ｗのフランジ６ｖ側には第１フィルター枠６ａの爪６ｇが係止される開口６ｈが２箇所設けられている。また、隔絶部６ｙのうち開口６ｄと反対側の端部６ｎには箱体５に組み込まれたときに箱体５の凹凸部に噛み合う凹凸部６ｌが構成されている。凹凸部６ｌが、箱体５の凹凸部に噛み合うことで、箱体５に対するフィルター保持ユニット６の位置決めがなされる。【００２６】
第１フィルター枠６ａは、筒状部６ｔと梁６ｓとを備える。筒状部６ｔは、内側にフィルター７を収納する開口を有し、矩形形状を呈している。筒状部６ｔは、フィルター保持枠６ｗの開口６ｄに入り込む。梁６ｓは、筒状部６ｔの開口の内側に複数形成されている。梁６ｓは、筒状部６ｔに収納されたフィルター７が落下しないように、フィルター７を支える。第１フィルター枠６ａの周囲には、フィルター保持枠６ｗに固定する為の爪６ｅ、６ｇが各々２箇所設けられている。爪６ｅの形状は、平板の先端が４５°曲げられた形状となっている。爪６ｇはＶ字型に曲げられてスプリング機能を持っている。筒状部６ｔは、フィルターを複数枚重ねて収納できる深さで構成されている。これにより、使用状況に応じて複数の種類のフィルター７を組み合わせて使用することができる。本実施の形態１では、フィルター７に加えて、フィルター９が重ねて筒状部６ｔに収納される。【００２７】
筒状部６ｔの外周にはフィルター保持枠６ｗの溝６ｉにはまり込むリブ６ｊが設けられ、熱交換換気装置５０の使用時にフィルター保持枠６ｗの開口６ｄと第１フィルター枠６ａとの間から空気が漏れるのを防止している。また、フィルター保持ユニット６が箱体５に装着された状態で、第１フィルター枠６ａの開口の周囲部分は、熱交換器２の給気流入面２ａに密着し押圧された状態となる。これにより、第１フィルター枠６ａの開口の周囲部分と熱交換器２の給気流入面２ａとの面から空気が漏れるのを防止している。【００２８】
第２フィルター枠６ｂは、第１フィルター枠６ａの開口の内側に収納できるように矩形状に構成されており、複数の梁６ｐを有する。第２フィルター枠６ｂに構成された梁６ｐと、第１フィルター枠６ａに構成された梁６ｓとで、第１フィルター枠６ａに収納されたフィルター７を固定する。第２フィルター枠６ｂがフィルター７を固定した状態において、筒状部６ｔにさらにフィルター９が収納される。フィルター９は、第２フィルター枠６ｂの梁６ｐと、熱交換器２の給気流入面２ａとに挟まれて固定される（図３−１参照）。【００２９】
第１フィルター枠６ａ、第２フィルター枠６ｂのフィルター保持ユニット６への固定は、第２フィルター枠６ｂを第１フィルター枠６ａへ装着し、第１フィルター枠６ａに設けてある爪６ｅをフィルター保持ユニット６の開口６ｆに差込み、対向する爪６ｇをフィルター保持ユニット６にある開口６ｈへ差し込むことにより行う。【００３０】
フィルター７，９の材質は不織布で構成され、第１フィルター枠６ａに収納できる大きさで矩形状に形成されている。フィルター７，９は、その用途・目的に応じて種類を変更することができる。例えば、フィルター７として集塵を目的とする集塵フィルターを用い、フィルター９として消臭を目的とする消臭フィルターを用いてもよい。【００３１】
上述した構成により、本体ケーシング１の内部には、室外の空気を室内に給気する給気通路と、室内の空気を室外に排気する排気通路とが形成される。図４に示すように、本体ケーシング１の内部には、矢印Ａ−Ａ’に沿った給気通路が形成される。同様に、矢印Ｂ−Ｂ’に沿った排気通路が形成される。本体ケーシング１の内部のうち、給気用送風機３が収容された部分は、給気通路の一部を構成する。本体ケーシング１の内部のうち、排気用送風機４が収用された部分は、排気通路の一部を構成する。図６−１は、本体ケーシング１の内部のうち熱交換器２が収容された部分における給気通路を説明するための横断面図である。図６−１において斜線で覆われた領域が給気通路の一部を構成する。給気流は、給気流入面２ａから給気流出面２ｄに抜ける流れ（第２通路を通過する流れ）を形成する。図６−２は、本体ケーシング１の内部のうち熱交換器２が収容された部分における排気通路を説明するための図である。図６−１において斜線で覆われた領域が排気通路の一部を構成する。排気流は、排気流入面２ｂから排気流出面２ｃに抜ける流れ（第２通路を通過する流れ）を形成する。図６−１，図６−２が示すように、フィルター保持ユニット６が装着された状態において、隔絶部６ｙは給気通路と排気通路とを隔絶している。【００３２】
次に、熱交換換気装置５０の動作およびメンテナンスについて説明する。熱交換換気装置５０を運転すると、排気用送風機４により、排気通路に矢印Ｂ−Ｂ’に沿った排気流が形成される。これにより、室内の空気が排気吸入口２３より吸い込まれ、熱交換器２を通過して、排気吐出口２４から吐出される。排気吐出口２４から吐出された空気は、例えば、ダクトによって運搬されて室外に排気される。【００３３】
また、給気用送風機３により、給気通路に矢印Ａ−Ａ’に沿った給気流が形成される。これにより、室外の空気が給気吸入口２１に吸い込まれ、熱交換器２を通過して、給気吐出口２２から吐出される。給気吐出口２２から吐出された空気は、例えば、ダクトによって運搬されて室内に給気される。給気流は、熱交換器２を通過する際に、フィルター７を通過する。これにより、給気流に含まれる塵埃がフィルター７によって除去される。【００３４】
ここで、排気流に含まれる熱は、熱交換器２を通過する際に熱交換器２に蓄熱される。給気流は、熱交換器２に蓄熱された熱は、熱交換器２を通過する給気流に回収される。これにより、換気による室内の温度変化を抑え、熱交換換気装置５０とは別に設けられた空調機（図示せず）等の負荷を軽減することができる。【００３５】
熱交換換気装置５０のメンテナンスを行うときは、本体ケーシング１に固定しているツマミ１０を解除し、取手１１を掴んでフィルター保持ユニット６を鉛直方向（下方）に引き出す。引き出したフィルター保持ユニット６から第１フィルター枠６ａ、第２フィルター枠６ｂを取り外し、フィルター７、フィルター９を取り出して清掃または交換する。フィルター保持ユニット６の受け皿６ｕに落下した塵埃、虫、水分をフィルター保持ユニット６に設けられた開口６ｃ、６ｄから廃棄する。【００３６】
このように、フィルター保持ユニット６は、受け皿６ｕとフィルター保持枠６ｗが一体に構成されているので、フィルター保持ユニット６を外すことによりフィルター７も同時に外すことができる。また、取手１１が設けられているので持ち易く、天井などに設置されることの多い熱交換換気装置５０をメンテナンスするときに作業がしやすい。【００３７】
また、フィルター７に付着した塵埃や虫、結露水が、フィルター保持ユニット６を取り外す際に落下しても、受け皿６ｕで受けることができる。これにより、周辺の床を汚したり、作業者の衣服を汚したりせずに、安全かつ清潔にメンテナンスができる。【００３８】
また、受け皿６ｕとフィルター保持枠６ｗを一体化したことで部品点数を削減することができ、メンテナンスの際の作業工数を削減することができる。また、第１フィルター枠６ａの筒状部６ｔに、複数のフィルターを収納させることができるので、使用用途に応じてフィルターを選択して組み合わせることができる。【００３９】
第１フィルター枠６ａは、フィルター保持枠６ｗに装着する構成にしたので、フィルター７の取付け、取扱いが簡単にできる。また、フィルター７の状態も確認しやすく、メンテナンスや清掃作業がしやすくなる。【００４０】
また、フィルター保持ユニット６が隔絶部６ｙを備えるので、フィルター保持ユニット６を取り外せば、排気通路の清掃が容易となる。すなわち、フィルター保持ユニット６に隔絶部６ｙを設けることで、熱交換換気装置５０の給気側のメンテナンス性のみならず、排気側のメンテナンス性の向上も図ることができる。排気側のメンテナンス性が向上すれば、熱交換器２の排気流入面２ｂにフィルターを設けることもできる。熱交換器２の排気流入面２ｂにフィルターを設ければ、汚れの付着による熱交換器２の性能低下を抑制して、熱交換器２の長寿命化を図ることもできる。また、熱交換器２の排気流入面２ｂに設けられたフィルターの脱着も容易となる。また、隔絶部をフィルター保持ユニット６と別体に設ける場合に比べ、部品点数の削減を図ることができ、製造コストの抑制を図ることができる。
【産業上の利用可能性】
【００４１】
以上のように、本発明にかかる熱交換換気装置は、室内の換気に有用であり、特に、給気流、排気流に含まれる塵埃をフィルターで除去する熱交換換気装置に適している。
【図１】
2010095237.tif 000003
【図２】
2010095237.tif 000004
【図３−１】
2010095237.tif 000005
【図３−２】
2010095237.tif 000006
【図４】
2010095237.tif 000007
【図５】
2010095237.tif 000008
【図６−１】
2010095237.tif 000009
【図６−２】
2010095237.tif 000010
【図７】
2010095237.tif 000011
【図８】
2010095237.tif 000012
【手続補正書】
【提出日】平成23年4月5日(2011.4.5)
【手続補正１】
【補正対象書類名】特許請求の範囲
【補正対象項目名】全文
【補正方法】変更
【補正の内容】
【特許請求の範囲】
【請求項１】
室内の空気を室外に排気する排気通路と室外の空気を室内に給気する給気通路とが内部に形成された箱体形状の本体ケーシングと、
前記排気通路と前記給気通路とが交差する交差部に配置され、前記排気通路を流れる排気流と前記給気通路を流れる給気流との間で熱交換させる熱交換器と、
前記熱交換器の前記給気流の流入側にフィルターを保持させる保持枠と、前記フィルターからの落下物を受ける受け皿とが一体化され、前記フィルターとともに前記本体ケーシングに着脱可能とされ、前記給気通路と前記排気通路とを隔絶する隔絶部を有するフィルター保持ユニットと、を備え、
前記本体ケーシングのうち、前記給気通路の前記給気流の流入面と対向する面に、前記フィルター保持ユニットが差し込まれる開口が形成され、
前記フィルター保持ユニットを前記開口に装着することで、前記熱交換器の前記給気流の流入面に密着する方向に前記フィルター保持ユニットが装着されることを特徴とする熱交換換気装置。
【請求項２】
前記フィルター保持ユニットの装着状態において、前記フィルターは、給気流の流入側が下側を向けて保持され、
前記受け皿は、前記フィルターにおける給気流の流入側からの落下物を受ける位置に配置されていることを特徴とする請求項１に記載の熱交換換気装置。
【請求項３】
前記保持枠は、複数の前記フィルターを重ねて保持できることを特徴とする請求項１または２に記載の熱交換換気装置。
【国際調査報告】
2010095237.tif 000013
2010095237.tif 000014